(57)【要約】【課題】  本発明は、建物躯体上に置かれたユニットルーム（バスルーム）内に介護用リフターを備える際に特に有効なユニットルームを提供するものである。【解決手段】  四周を合成樹脂製ユニット部材にて構成され、建物床面に対して当該ユニットルームの床の裏側に高さ調整可能な支持脚を備えた介護リフター対応ユニットルームであって、介護リフターのシリンダの据え付けが予定される当該ユニットルームの床部の剛性補強部材を設置すると共に、前記シリンダが貫通する予定の天井部を点検用穴部としたことを特徴とする介護リフター対応ユニットルーム。【選択図】  図１ 
2005146606.tif 000002
【特許請求の範囲】
【請求項１】
四周を合成樹脂製ユニット部材にて構成され、建物床面に対して当該ユニットルームの床の裏側に高さ調整可能な支持脚を備えた介護リフター対応ユニットルームであって、介護リフターのシリンダの据え付けが予定される当該ユニットルームの床部の剛性補強部材を設置すると共に、前記シリンダが貫通する予定の天井部を点検用穴部としたことを特徴とする介護リフター対応ユニットルーム。
【請求項２】
剛性補強部材が、高さ調整可能な支持脚である請求項１記載の介護リフター対応ユニットルーム。
【発明の詳細な説明】
【技術分野】
【０００１】
この発明は、高齢者等を入浴させるときに使用する介護リフターの据え付けに関するものであり、特に言えば、介護リフタ−が据え付けられることを予定しているバス用のユニットルームの構造に係るものである。
【背景技術】
【０００２】
介護リフタ−は、入浴する人が乗る椅子を上下させるために、一般には支柱としてシリンダ形式を用いるのが通常である。しかも、この支柱は椅子を支える機能をも有するものである。したがって、このシリンダは、椅子に人が乗っても倒れないように床及び天井にしっかりと固定されていなければならない。床について言えば、浴室の床をはがしてその下にあるコンクリート面を露出させ、そのコンクリート面にシリンダの下端を固定するようにしていた。また、場合によっては、そのコンクリート面に更に穴をあけて、シリンダの下端を固定することもあった。
【０００３】
しかるに、上記の据え付け構造では、ユニットルームの場合には、ユニットの一部である床を剥さなければならない。このことは、ユニットルームの一部を完全に壊すことになってしまう。また、コンクリート面に穴をあけて据え付ける場合には、その穴の部分を防水する必要があり、その工事だけでも時間とコストがかかり、階下への水漏れの原因にもなる。
【０００４】
これらを解決するために、シリンダ固定部位に断面が山形で、直線状或いはＬ字状を形成したプレ−トをコンクリート面或いはユニットルームの床面に装着し、ここにシリンダの最下部を固定する方法が提案されていた（特許文献１、特許文献２）。
【０００５】
【特許文献１】特開２０００ー２２５１６７
【特許文献２】特開２０００ー２２６１９２
【０００６】
かかる提案にあって、シリンダにかかる荷重の分散という面ではある程度の効果はあるものの、ユニットル−ムの床の上に固定された場合には、根本的な解決にはならず、床に対して部分的に過負荷がもたらされることになる。
【０００７】
一方、シリンダの上部の固定には従来技術には言及されていないが、通常はシリンダの支柱はユニットル−ムの天井を貫き、建物躯体に直接固定されている。即ち、天井を構成するパネルに円形の穴を開け、これに支柱を通すこととなり、リフタ−を撤去した際にはいかにも穴を塞いだという感覚しかない塞ぎ方となるため、見栄えの良いものとはなっていない。
【発明の開示】
【発明が解決しようとする課題】
【０００８】
本発明は、建物躯体上に置かれたユニットルーム（バスルーム）内に介護用リフターを備える際に特に有効なユニットルームを提供するものである。
【課題を解決するための手段】
【０００９】
本発明の要旨は、四周を合成樹脂製ユニット部材にて構成され、建物床面に対して当該ユニットルームの床の裏側に高さ調整可能な支持脚を備えた介護リフター対応ユニットルームであって、介護リフターのシリンダの据え付けが予定される当該ユニットルームの床部の剛性補強部材を設置すると共に、前記シリンダが貫通する予定の天井部を点検用穴部としたことを特徴とし、具体的には、剛性補強部材が、高さ調整可能な支持脚である。
【発明の効果】
【００１０】
本発明によれば、介護用の椅子を昇降させるシリンダを支持するのに、床に穴をあけたりする必要がなく、また、天井部にも予め点検口を対応させておくものであり、ユニットルームの設置後に介護リフターを設置する際でもその機能は十分であり、止水性や耐久性にも優れるユニットルームとなったものである。
【発明を実施するための最良の形態】
【００１１】
介護リフターの設置の条件は、使用時に支柱にかかる荷重に対し、ユニットルーム床の剛性、耐久性が十分確保される必要がある。これらの対策がないユニットルームに介護リフターを設置すると、支柱設置付近の床の撓みが大きくなり、天井貫通部の止水性の劣化や躯体固定部の負荷が大きいことによる破損等が懸念される。
【００１２】
一方、ユニットルームの天井パネルに開口を形成し、介護リフター支柱を貫通させる場合、介護リフターを設置する前及び撤去の後には天井パネルの開口を穴埋めするような作業が必要であり、意匠性、止水性を損なうことともなる。
【００１３】
本発明にあっては、介護リフターが据え付けられる予定のユニットルームの、床の剛性を向上する構造とするもので、例えば、介護リフターの支柱の設置予定部の床下に剛性補強部材を備えるものであり、具体的には、剛性補強部材が、高さ調整可能な支持脚である。尚、ユニットルームにあって、通常、ドア部分が決まれば介護リフターの支柱はどこに設置するかはほぼ決まってくるものであり、従って、床のどの部分の剛性をアップしておけば良いかは必然的に決まることになる。
【００１４】
一方、介護リフターの支柱の設置予定部の天井部に点検口を設置するものであり、通常は蓋を備えるものである。これにより、介護リフター除去後には、開口部については点検蓋に交換するだけで良く、点検口と同等の止水性、耐久性、更には意匠性をも確保できることとなる。
【実施例】
【００１５】
以下、実施例をもって本発明を更に詳細に説明する。図１はユニットルームの床面の平面図である。１はユニットルームの側面部、２は床面部であり洗い場である。３は浴槽、４はドアである。これらはいずれも合成樹脂材料を主体として構成されるものである。図２はユニットルームの天井部５の平面図である。これも通常は合成樹脂材料を主体としたものである。
【００１６】
１１は介護リフターの支柱（シリンダ）であり、１２、１３はアーム、１４はヒンジ、１５は被介護者が乗る椅子である。さて、この図例では支柱１１は床面２のＡ部に据え付けることが予定されており、従って、これに対して床面部２の裏側に剛性補強部材を備えるものであり、具体的には、図３に示すように高さ調整可能な支持脚２１を設置したものである。この支持脚２１は先端にゴム材２２を嵌めたボルト２３からなり、床面部２の裏側に装着したナット部材２４にボルト２３を螺合して高さ調節可能としたものである。２５は止めナットである。尚、図示はしないが、床面部２の裏側に上記と同様の９本の支持脚を×印部位に設置したものである。
【００１７】
更に、天井部５においては、支柱１１の頂部はこの天井部５を貫通して建物の躯体に固定されるものであり、天井部５にはこの貫通する部位に点検口３１を備えたもので、通常は蓋が設置されている。勿論、介護リフターを設置した際には穴付きの蓋３２をもって支柱１１の周囲を覆うものである。
【産業上の利用可能性】
【００１８】
介護用の椅子を昇降させるシリンダの支持に関する発明であり、ユニットル−ムのみならずあらゆる場所での展開が考えられ、その利用すべき範囲は広い。
【図面の簡単な説明】
【００１９】
【図１】図１はユニットルームの床面の平面図である。
【図２】図２はユニットルームの天井部５の平面図である。
【図３】図３は床面の裏側に備えた剛性補強部材（支持脚）を示す側面図である。
【符号の説明】
【００２０】
１‥ユニットルームの側面部、
２‥床面部、
３‥浴槽、
４‥ドア、
５‥天井部、
１１‥介護リフターの支柱、
１２、１３‥アーム、
１４‥ヒンジ、
１５‥椅子、
２１‥剛性補強部材（支持脚）、
２２‥ゴム材、
２３‥ボルト、
２４‥ナット部材、
２５‥止めナット、
３１‥支柱１１が貫通する部位に備えた点検口、
３２‥穴付きの蓋、
Ａ‥支柱の据え付け予定部。
【図１】
2005146606.tif 000003
【図２】
2005146606.tif 000004
【図３】
2005146606.tif 000005